(57)【要約】【課題】利用者の所望により受信ファクシミリを各種に処理できるファクシミリ装置を提供する。【解決手段】入力操作部１７０に入力操作される任意の個数の処理形式の指定を処理記憶部１４０で記憶し、受信されたファクシミリデータを処理制御部１５０が記憶されている任意の個数の処理形式で処理させる。利用者が所望により任意の個数の処理形式を指定しておけば、二つ以上の処理形式でファクシミリデータを並列処理させることもできる。【選択図】図１
2008118362.tif 000002
【特許請求の範囲】
【請求項１】
受信されるファクシミリデータを少なくとも印刷する機能があるファクシミリ装置であって、
前記ファクシミリデータを受信するデータ受信部と、
前記ファクシミリデータを複数の処理形式で処理する機能があるデータ処理部と、
任意の個数の前記処理形式を指定する入力操作を受け付ける入力操作部と、
指定された任意の個数の前記処理形式を記憶する処理記憶部と、
受信された前記ファクシミリデータを記憶されている前記処理形式で処理させる処理制御部と、
を有するファクシミリ装置。
【請求項２】
前記データ処理部は、前記ファクシミリデータを印刷するデータ印刷部と、前記ファクシミリデータを記憶するデータ記憶部と、前記ファクシミリデータを外部に転送するデータ転送部と、を有し、複数の前記処理形式として前記印刷と前記記憶と前記転送とがある請求項１に記載のファクシミリ装置。
【請求項３】
受信される前記ファクシミリデータを複数のファクシミリ分類の一つとして判定する分類判定部を、さらに有し、
前記入力操作部は、前記ファクシミリ分類ごとに任意の個数の前記処理形式を指定する入力操作を受け付け、
前記処理記憶部は、入力操作された任意の個数の前記処理形式を前記ファクシミリ分類ごとに記憶し、
前記処理制御部は、判定された前記ファクシミリ分類に対応して記憶されている任意の個数の前記処理形式で前記データ処理部に前記ファクシミリデータを処理させる請求項１または２に記載のファクシミリ装置。
【発明の詳細な説明】
【技術分野】
【０００１】
本発明は、受信されるファクシミリデータを少なくとも印刷する機能があるファクシミリ装置に関し、特に、ファクシミリデータを複数の処理形式で処理する機能があるファクシミリ装置に関する。
【背景技術】
【０００２】
現在、ファクシミリ装置では、ダイレクトメールなどの迷惑ファクシミリが問題となっている。迷惑ファクシミリは印刷用紙を無駄に消費することになる。そこで、これを防止するため、ファクシミリデータを送信元から迷惑ファクシミリか判定し、迷惑ファクシミリと判定されると印刷しないファクシミリ装置などが提案されている(例えば、特許文献１〜３参照)。
【特許文献１】特開平０９−３１２６８８号公報
【特許文献２】特開２００１−１４４９２４号公報
【特許文献３】特開平１０−２７６２７９号公報
【発明の開示】
【発明が解決しようとする課題】
【０００３】
しかし、従来のファクシミリ装置では、通常は適正ファクシミリは印刷し、迷惑ファクシミリは印刷しない、との機能しかない。しかし、ファクシミリデータとして、適正ファクシミリと迷惑ファクシミリ以外の分類が要求されることもある。
【０００４】
また、ファクシミリデータの処理としても、印刷の有無以外が要求されることがある。特に、現在の多機能なファクシミリ装置では、ファクシミリデータの処理形式が三つ以上のこともある。
【０００５】
このような場合、ファクシミリデータを二つ以上の処理形式で並列処理することが要望される可能性もある。しかし、現在のファクシミリ装置では、上述のような要望を実現することができない。
【０００６】
本発明は上述のような課題に鑑みてなされたものであり、入力操作されて記憶された任意の個数の処理形式でファクシミリデータを並列処理することができるファクシミリ装置を提供するものである。
【課題を解決するための手段】
【０００７】
本発明のファクシミリ装置は、受信されるファクシミリデータを少なくとも印刷する機能があるファクシミリ装置であって、ファクシミリデータを受信するデータ受信部と、ファクシミリデータを複数の処理形式で処理する機能があるデータ処理部と、任意の個数の処理形式を指定する入力操作を受け付ける入力操作部と、指定された任意の個数の処理形式を記憶する処理記憶部と、受信されたファクシミリデータを記憶されている任意の個数の処理形式で処理させる処理制御部と、を有する。
【０００８】
従って、本発明のファクシミリ装置では、利用者が所望により任意の個数の処理形式を指定しておくと、その処理形式でファクシミリデータが処理される。このため、二つ以上の処理形式でファクシミリデータを並列処理させることもできる。
【０００９】
なお、本発明で云う各種の構成要素は、その機能を実現するように形成されていればよく、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【００１０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１１】
また、本発明で云う「データを記憶している」とは、本発明の装置が使用されるときに「データを記憶している」状態にあることを意味している。このため、本発明の装置が出荷されるときにはデータを記憶しておらず、使用される以前にデータを記憶している状態にセットアップされることを許容する。
【００１２】
一方、本発明で云う「データを記憶する」とは、新規のデータを記憶する機能があることの他、製造時にデータを記憶して出荷後には新規のデータを記憶しないことも許容する。
【発明の効果】
【００１３】
本発明のファクシミリ装置では、利用者が所望により任意の個数の処理形式を指定しておくと、その処理形式でファクシミリデータが処理される。従って、二つ以上の処理形式でファクシミリデータを並列処理させることもできる。このため、利用者の利便性を向上させることができる。
【発明を実施するための最良の形態】
【００１４】
本発明の実施の一形態を図面を参照して以下に説明する。本実施の形態のファクシミリ装置１００は、受信されるファクシミリデータを少なくとも印刷する機能がある。
【００１５】
さらに、ファクシミリ装置１００は、図１に示すように、ファクシミリデータを受信するデータ受信部１１０と、ファクシミリデータを複数の処理形式で処理する機能があるデータ処理部１２０と、任意の個数の処理形式を指定する入力操作を受け付ける入力操作部１７０と、指定された任意の個数の処理形式を記憶する処理記憶部１４０と、受信されたファクシミリデータを記憶されている任意の個数の処理形式で処理させる処理制御部１５０と、を有する。
【００１６】
また、受信されるファクシミリデータを複数のファクシミリ分類の一つとして判定する分類判定部１３０を、さらに有する。このため、入力操作部１７０は、ファクシミリ分類ごとに任意の個数の処理形式を指定する入力操作を受け付ける。
【００１７】
処理記憶部１４０は、入力操作された任意の個数の処理形式をファクシミリ分類ごとに記憶する。処理制御部１５０は、判定されたファクシミリ分類に対応して記憶されている任意の個数の処理形式でデータ処理部１２０にファクシミリデータを処理させる。
【００１８】
なお、データ処理部１２０は、ファクシミリデータを印刷するデータ印刷部１２１と、ファクシミリデータを記憶するデータ記憶部１２２と、ファクシミリデータを外部に転送するデータ転送部１２３と、を有する。このため、複数の処理形式として印刷と記憶と転送とがある。
【００１９】
なお、本実施の形態のファクシミリ装置１００は、いわゆるＭＦＰ(Multi Function Peripherals)であり、ハードウェアとしては従来の既存製品と同様な構造からなる。つまり、データ受信部１１０は、例えば、電話回線を利用してファクシミリデータを受信するモデムやバッファ等からなる。
【００２０】
データ印刷部１２１は、レーザプリンタなどのプリンタユニット等からなる。データ記憶部１２２は、操作パネルのディスプレイパネル等からなる。データ転送部１２３は、ＬＡＮ(Local Area Network)で外部のパーソナルコンピュータと通信するＩ／Ｆ(Interface)ユニット等からなる。
【００２１】
分類判定部１３０および処理制御部１５０は、例えば、ＣＰＵ(Central Processing Unit)、ＲＯＭ(Read Only Memory)、ＲＡＭ(Random Access Memory)、等からなるコンピュータユニットに、コンピュータプログラムで実現された機能などに相当する。
【００２２】
分類判定部１３０は、ファクシミリデータから検出される所定の判定要素に基づいてファクシミリ分類を判定する。処理記憶部１４０は、例えば、コンピュータユニットに接続されているフラッシュメモリの記憶エリアからなる。入力操作部１７０は、操作パネルのキーボードユニット等からなる。
【００２３】
上述のような構成において、本実施の形態のファクシミリ装置１００の動作を、各部１１０〜１７０の機能とともに以下に具体的に説明する。本実施の形態のファクシミリ装置１００は、受信されたファクシミリデータに対する複数の処理形式として、印刷、記憶、転送、がある。
【００２４】
さらに、本実施の形態のファクシミリ装置１００では、ファクシミリ分類として適正ファクシミリと迷惑ファクシミリと不明ファクシミリとがデフォルト設定されている。そして、分類判定部１３０は、全部のファクシミリデータを適正ファクシミリとして判定するように初期設定されている。
【００２５】
そして、本実施の形態のファクシミリ装置１００では、図２に示すように、利用者が入力操作部１７０を手動操作することにより(ステップＳ１)、複数のファクシミリ分類の各々に複数の処理形式を任意の個数ずつ指定して登録することができる(ステップＳ２)。
【００２６】
例えば、適正ファクシミリは印刷と記憶と転送の全部を実行、迷惑ファクシミリは記憶のみ実行して印刷と転送は実行しない、不明ファクシミリは記憶と転送を実行して印刷のみ実行しない、等を指定することができる。
【００２７】
本実施の形態のファクシミリ装置１００は、上述のように利用者の所望により複数のファクシミリ分類の各々に任意の個数ずつ処理形式が登録された状態で、ファクシミリデータが受信されると(ステップＳ３)、そのファクシミリ分類が判定される(ステップＳ４)。
【００２８】
つぎに、その判定されたファクシミリ分類に対応して記憶されている処理形式が読み出され(ステップＳ５)、その読み出された処理形式でファクシミリデータが処理される(ステップＳ６)。
【００２９】
このとき、前述のようにファクシミリ分類に複数の処理形式を指定しておけば、その複数の処理形式での並列処理が実行される。例えば、適正ファクシミリに印刷と記憶と転送の全部を指定しておけば、ハードコピーとファクシミリデータとを保存することができ、転送によりサーバ装置などでファクシミリデータを確認することもできる。
【００３０】
また、例えば、迷惑ファクシミリには記憶のみ指定しておけば、記憶されたファクシミリデータをディスプレイ表示で確認してから、印刷や消去を選択するようなことができる。
【００３１】
さらに、例えば、不明ファクシミリには記憶と転送を指定しておけば、転送されたファクシミリデータをサーバ装置などで確認し、ファクシミリ装置１００での印刷や消去を選択するようなことができる。
【００３２】
本実施の形態のファクシミリ装置１００は、上述のように利用者が所望により任意の個数の処理形式を指定しておくと、その処理形式でファクシミリデータが処理される。従って、二つ以上の処理形式でファクシミリデータを並列処理させることもでき、利用者の利便性を向上させることができる。
【００３３】
なお、本発明は本実施の形態に限定されるものではなく、その要旨を逸脱しない範囲で各種の変形を許容する。例えば、上記形態ではファクシミリ装置１００として通常の電話回線を利用してファクシミリ通信するものを想定したが、いわゆるインターネットファクシミリを実行してもよい。
【００３４】
インターネットファクシミリでは、ファクシミリデータは電子メールの添付ファイルとして送受することができる。そこで、このようなファクシミリ装置では、添付ファイルからなるファクシミリデータのデータ形式を検出し、データ形式からファクシミリ分類を判定してもよい。
【図面の簡単な説明】
【００３５】
【図１】本発明の実施の形態のファクシミリ装置の論理構造を示す模式的なブロック図である。
【図２】ファクシミリ装置の処理動作を示すフローチャートである。
【符号の説明】
【００３６】
１００    ファクシミリ装置
１１０    データ受信部
１２０    データ処理部
１２１    データ印刷部
１２２    データ記憶部
１２３    データ転送部
１３０    分類判定部
１４０    処理記憶部
１５０    処理制御部
１７０    入力操作部
【図１】
2008118362.tif 000003
【図２】
2008118362.tif 000004